(57)【要約】【課題】暖房器具として使用するときのヒーターの取付高さを適切なものとしておき、しかも、テーブルとして使用するときに棚を構成できるようにする。【解決手段】コタツ櫓の天井部５を、長方形状の側壁枠部１１を用いて形成した上面開放の収容部１５内に、長方形状の天井プレート１７を収容して構成する。テーブルとして使用する場合は、収容部１５から天井プレート１７を取り出し、側壁枠部１１上に天板７を直接載せる。そして、取り出した天井プレート１７を、支持脚３の内側の高さ方向中間に配置して棚部を構成する。収容部１５の下面側にヒーター３１を取り付けておく。【選択図】図４
2011247431.tif 000002
【特許請求の範囲】
【請求項１】
下面側にヒーターを有する天井部と、この天井部の外周部分に設けられた支持脚と、前記天井部に被せられたコタツ布団上に載せられる天板と、を備えたコタツであって、
前記天井部は、上面開放の収容部と、上面の開放部から取り出せるように、前記収容部内に収容された天井プレートと、を有し、
前記支持脚は、前記収容部の下方で、内側に配置された前記天井プレートを支えることができるように構成され、
前記収容部は、前記天板を直接載置できるように形成されている、ことを特徴とする家具調コタツ。
【請求項２】
前記収容部内に前記天井プレートを収容している前記天井部に前記コタツ布団を被せ、このコタツ布団上に前記天板を載せることにより暖房器具として構成され、
前記収容部内から取り出した前記天井プレートを、前記収容部の下方で、前記支持脚の内側に配置して棚を形成し、かつ、前記収容部上に前記天板を載せることによりテーブルとして構成される、ことを特徴とする請求項１記載の家具調コタツ。
【請求項３】
前記ヒーターは前記収容部に固定されている、ことを特徴とする請求項１又は２記載の家具調コタツ。
【請求項４】
前記収容部は、一対の縦部材及び一対の横部材と、前記縦部材及び前記横部材の端部同士を連結する連結部材と、を有する４角形状の側壁枠部を備え、
前記連結部材は、縦方向内側面に縦方向嵌め込み固定孔を有するとともに、横方向内側面に横方向嵌め込み固定孔を有し、前記縦方向嵌め込み固定孔に前記縦部材の端部を嵌め込み、前記横方向嵌め込み固定孔に前記横部材の端部を嵌め込むことにより、前記縦部材及び前記横部材の端部同士を連結するように構成されていて、
前記支持脚は、支持脚本体と、この支持脚本体の上端面の外側縁部から上方に突出するカバー部と、を有し、前記カバー部が前記連結部材の外面を覆うように前記連結部材に取り付けられている、ことを特徴とする請求項１、２又は３記載の家具調コタツ。
【請求項５】
前記縦部材及び前記横部材の端部は、前記連結部材の外側面からねじ込まれた固定ビスにより前記連結部材に固定されている、ことを特徴とする請求項４記載の家具調コタツ。
【請求項６】
前記収容部は、一対の縦部材及び一対の横部材を有する４角形状の側壁枠部を備え、前記側壁枠部内には、縦補強部材及び横補強部材のいずれか一方の補強部材のみが２本設けられている、ことを特徴とする請求項１、２又は３記載の家具調コタツ。
【請求項７】
前記一方の補強部材は、Ｌ型金具を用いて前記側壁枠部に固定されている、ことを特徴とする請求項６記載の家具調コタツ。
【発明の詳細な説明】
【技術分野】
【０００１】
本発明は、冬季は暖房器具として使用でき、夏季などにはテーブルとして使用できる家具調コタツに関する。
【背景技術】
【０００２】
暖房用の器具であるコタツは、天井部の外周部分を支持脚で支えたコタツ櫓にコタツ布団を掛け、天板を載せて構成し、コタツ布団の中に例えば下半身を入れて使用する。そして、コタツ櫓にはヒーターが設けられていて、このヒーターによりコタツ布団の中が暖房される。
【０００３】
こういった構造のコタツは、夏季などにコタツ布団を取り除きテーブルとして使用できる体裁を施されて家具調コタツに仕上げられる場合がある。
【０００４】
家具調コタツとしては、例えば特許文献１に記載されているように、ヒーター（４）を有する取付板（３）をコタツ櫓（１）の支持脚（５）に沿って上下動可能に配置したものが知られている。このような構成の家具調コタツでは、取付板（３）が天板（２）とともにコタツ櫓（１）の天井部を構成するように、この取付板（３）を上方に移動させて暖房器具として使用し、また、取付板（３）が棚部を構成するようにこの取付板（３）を下方に移動させてテーブルとして使用することとなる。
【先行技術文献】
【特許文献】
【０００５】
【特許文献１】実開昭５７−８３３５７号公報
【発明の概要】
【発明が解決しようとする課題】
【０００６】
しかしながら、特許文献１の家具調コタツでは、暖房器具としての使用時に、下面にヒーター（４）が設けられた取付板（３）を天板（２）の下側に位置させるので、ヒーター（４）が、コタツ布団の中に入れた下半身に接近しすぎて、快適な暖房状態を確保しにくいといった問題が生じるおそれがある。
【０００７】
そこで本発明は、従来の家具調コタツが有するこういった問題を解消した新規な家具調コタツの提供を目的とする。
【課題を解決するための手段】
【０００８】
この目的を達成するための本発明の家具調コタツは、下面側にヒーターを有する天井部と、この天井部の外周部分に設けられた支持脚と、前記天井部に被せられたコタツ布団上に載せられる天板と、を備えたコタツであって、前記天井部は、上面開放の収容部と、上面の開放部（上面開口）から取り出せるように、前記収容部内に収容された天井プレートと、を有し、前記支持脚は、前記天井部の下方で、内側に配置された前記天井プレートを支えることができるように構成され、前記収容部は、前記天板を直接載置できるように形成されているものである。暖房器具として使用する場合には、天井プレートを収容部に収めたままで、天井部にコタツ布団を掛け、コタツ布団の上に、あるいは、コタツ布団を介して天井部の上に天板を載置する。ヒーターは、例えば、天井プレートの下面に設けられるが、天井プレートは、上面開放の収容部に収容されているので、ヒーターが下側に位置しすぎるといったことはない。また、ヒーターは収容部に設けることもできるが、この場合には、ヒーターの取付高さを適当に設定できる。テーブルとして使用する場合には、天井プレートを収容部内から取り出し、支持脚の高さ方向中間で、すなわち収容部の下方で、支持脚の内側に棚として配置するとともに、収容部上に天板を載せる。テーブルとして使用する場合にも、天井プレートを収容部に収めたままで、天井部又は収容部上に天板を載置してもよい。
【０００９】
ヒーターを収容部に設けておけば、天井プレートを移動させるときにヒーターを傷付けやすいといったことがなくなる。
【００１０】
例えば収容部は、一対の縦部材（例えば縦角材）及び一対の横部材（例えば横角材）を有する４角形状の側壁枠部を備えるように構成される。そして、縦部材及び横部材の端部同士を、連結部材を用いて連結することができる。ここで、連結部材（例えばプラスチック製とすることができる）を、縦方向内側面に縦方向嵌め込み固定孔を有するとともに、横方向内側面に横方向嵌め込み固定孔を有し、縦方向嵌め込み固定孔に縦部材の端部を嵌め込み、横方向嵌め込み固定孔に横部材の端部を嵌め込むことにより、縦部材及び横部材の端部同士を連結するように形成しておけば、収容部又はコタツ櫓を安価に構成できる。そして、支持脚を、支持脚本体と、この支持脚本体の上端面の外側縁部から上方に突出するカバー部（例えば薄肉状のカバー部）と、を有し、カバー部が連結部材の外面又は外側面（例えば縦方向外側面及び横方向外側面）を覆って連結部材に取り付けられるように構成しておけば、連結部材の外側面から固定ビスを縦部材及び横部材にねじ込んで縦部材及び横部材を連結部材に固定するような場合でも、固定ビスなどをカバー部で隠すことができるので、特にテーブルとして使用する場合の外観を損なうといったことがない。
【００１１】
側壁枠部は、内部に補強部材を配置して補強されるのが好ましい。しかしながら、補強部材を縦横に配置するとコスト高となってしまう。したがって、縦補強部材（例えば縦補強角材）及び横補強部材（例えば横補強角材）のいずれか一方の補強部材のみを２本使用し、この補強部材を、Ｌ型金具を用いて側壁枠部に強固に固定し、一方の補強部材だけでも十分な補強効果が達成されるように構成するのが得策である。
【発明の効果】
【００１２】
以上説明したように、本発明の家具調コタツでは、テーブルとして使用するときに棚を構成でき、しかも、暖房器具として使用するときのヒーターの取付高さを適切なものとしておくことができる。
【図面の簡単な説明】
【００１３】
【図１】本発明に係る家具調コタツであって暖房器具として使用する場合の斜視図である。
【図２】本発明に係る家具調コタツであってテーブルとして使用する場合の斜視図である。
【図３】図１に示す家具調コタツの分解斜視図である。
【図４】図３に示す家具調コタツの分解斜視図である。
【図５】天板の分解斜視図である。
【図６】天井プレートの分解斜視図である。
【図７】天井プレートの面取り部箇所の拡大図である。
【図８】支持ピンを示す図である。
【図９】収容部及び支持脚の組立体の分解斜視図である。
【図１０】支持脚を示す図である。
【図１１】収容部及び支持脚の部分拡大分解斜視図である。
【図１２】収容部及び支持脚の部分拡大組立図である。
【発明を実施するための形態】
【００１４】
以下、本発明を実施するための形態を図面を参照して説明する。
【００１５】
図１は本発明に係る家具調コタツであって暖房器具として使用する場合の斜視図、図２は本発明に係る家具調コタツであってテーブルとして使用する場合の斜視図、図３は図１に示す家具調コタツの分解斜視図、図４は図２に示す家具調コタツの分解斜視図である。
【００１６】
家具調コタツ１は、４隅がそれぞれ支持脚３で支えられた長方形状の天井部５上に、天井部５と同一又はほぼ同一の長方形状の天板７を載せることにより構成されていて、天板７は、家具調コタツ１を暖房器具として使用する場合（図１の場合）には、コタツ布団９を介して天井部５上に載せられ、テーブルとして使用する場合（図２の場合）には、天井部５（天井プレート１７を取り出した天井部５、すなわち収容部１５：図３も参照）に直接載せられる。
【００１７】
図３に示すように、天井部５は、長方形状の側壁枠部１１の内側に、長辺方向中間で、短辺方向に延びる２本の補強角材（縦補強部材）１３を取り付けることにより形成された、上面開放（上面完全開口）の収容部１５と、この収容部１５内に収容された、側壁枠部１１の内側形状とほぼ等しい長方形状に形成された天井プレート１７と、を有し、側壁枠部１１は、一対の長辺枠角材（横部材）１９と一対の短辺枠角材（縦部材）２１とを用い、長辺枠角材１９の端部と短辺枠角材２１の端部とを直方体状のプラスチック製連結部材２３で直交するように連結して形成されていて、支持脚３は、断面正方形状又は矩形状に形成され、側壁枠部１１の４隅に配置されたこの連結部材２３に取り付けられている。補強角材１３は、両端部がＬ型金具２４を用いて長辺枠角材１９に固定されている。天井プレート１７の４隅には面取りが施されて面取り部２５が形成され、連結部材２３の内側角部にも、天井プレート１７の面取りに対応して面取りが施され、天井プレート１７の面取り部２５に対応する面取り部２７が形成されている。天井プレート１７は、面取り部２５が連結部材２３の面取り部２７と接触又は接近し、それぞれの連結部材２３の面取り部２７にねじ込んで取り付けた支持ピン２９に４隅あるいは４隅下側が支えられた状態で収容部１５内に配置されている。支持ピン２９に支えられた天井プレート１７の上面は、側壁枠部１１の上面と同一又はほぼ同一の高さに位置している。
【００１８】
補強角材１３間には補強角材１３に支えられてヒーター３１が配置され、この補強角材１３の上側には、ヒーター３１を覆うように保護断熱プレート３３が掛け渡されて固定されている。
【００１９】
テーブルとして使用する場合の家具調コタツ１は、コタツ布団９を用いることなく、また、収容部１５から天井プレート１７を取り出し、側壁枠部１１（より具体的には連結部材２３）上に天板７を直接載せることにより組み立てられているが、収容部１５の上面開口（上面開放部）から取り出した天井プレート１７は、支持脚３の内側に、高さ方向中間で配置されて棚部３５を構成している。支持脚３の内側角部には、天井プレート１７の面取りに対応して面取りが施され、天井プレート１７の面取り部２５に対応する面取り部３７が形成されていて、天井プレート１７は、面取り部２５が支持脚３の面取り部３７と接触又は接近し、それぞれの支持脚３の面取り部３７にねじ込んで取り付けた支持ピン２９（例えば、連結部材２３の面取り部２７から取り外した支持ピン２９）に４隅あるいは４隅下側が支えられた状態で収容部１５の下側に配置されている。
【００２０】
なお、天井プレート１７を収容部１５内に収めたままで、側壁枠部１１上に天板７を直接載せてテーブルとして使用してもよい。
【００２１】
図５は天板７の分解斜視図である。
【００２２】
天板７は、天板用角材３９を組み合わせて形成された長方形状の天板用枠部４１と、この天板用枠部４１内に配置されたハニカム紙４３と、天板用枠部４１の上下両面側に固定して設けられた表面プレート４５及び裏面プレート４７と、から構成されている。ハニカム紙４３は、天板用枠部４１の内側形状と同一又はほぼ同一に形成され、天板用角材３９と同一又はほぼ同一の厚みを有している。
【００２３】
図６は天井プレート１７の分解斜視図、図７は天井プレート１７の面取り部２５個所の拡大図である。
【００２４】
天井プレート１７は、天井プレート用角材４９を組み合わせて形成された長方形状の天井プレート用枠部５１と、この天井プレート用枠部５１の上下両面側に固定して設けられた上面プレート５３及び下面プレート５５と、から構成され、天井プレート用枠部５１内の長辺方向中間位置には、短辺方向に延びる２本の補強角材（縦補強角材）５７が配置されていて、天井プレート用角材４９と補強角材５７とは同一又はほぼ同一の厚みを有している。また、天井プレート用枠部５１の４隅内側には、天井プレート用角材４９と同一又はほぼ同一の厚みを有する正方形状の補強駒５９が固定されている。
【００２５】
天井プレート１７の４隅には、下面及び面取り部２５に開口するように、長方形及び半円を組み合わせた逆Ｕ字状の断面形状の嵌め込み孔６１が形成されていて、この嵌め込み孔６１は、下面プレート５５を上下方向に貫通し、天井プレート用角材４９の厚み方向中間に達している。嵌め込み孔６１の下面開口６３は長方形又はほぼ正方形であり、側面（面取り部２５）開口６５は逆Ｕ字形状となっていて、嵌め込み孔６１の天井面６７は断面半円形状に形成されている。
【００２６】
図８は支持ピン２９を示す図である。
【００２７】
支持ピン２９は、円柱状の頭部６９と雄ネジ部７１とを一体的に有している。支持ピン２９の頭部６９の径は嵌め込み孔６１の幅（天井面６７の断面形状の直径）及び深さとほぼ同一に、長さは嵌め込み孔６１の奥行きとほぼ同一に設定されていて、支持ピン２９は、頭部６９が天井面６７と当接するように嵌め込み孔６１内に嵌まり込んで天井プレート１７を支持する。
【００２８】
図９は収容部１５及び支持脚３の組立体の分解斜視図である。
【００２９】
各連結部材２３の長辺方向を向く長辺方向（横方向）内側面７３及び短辺方向を向く短辺方向（縦方向）内側面７５にはそれぞれ、嵌め込み固定孔７７が形成されていて、側壁枠部１１は、長辺枠角材１９の端部を長辺方向内側面７３の嵌め込み固定孔（横方向嵌め込み固定孔）７７に嵌め込み、かつ、短辺枠角材２１の端部を短辺方向内側面７５の嵌め込み固定孔（縦方向嵌め込み固定孔）７７に嵌め込み、そして、連結部材２３の長辺方向外側面及び短辺方向外側面（外側面）に設けられたビス孔７８を通って固定ビス８０を長辺枠角材１９の端部及び短辺枠角材２１の端部にねじ込むことにより構成されている（図１１も参照）。側壁枠部１１の上面は連結部材２３の上面よりも一段低く位置している。また、連結部材２３には、上下方向に貫通するボルト孔７９が２つ形成され、連結部材２３の上面には、上方に多少突出するように、弾性材製の円盤状滑止部材８１が固定されている。なお、側壁枠部１１上に天板７を直接載せる場合には、天板７は、４隅がこの円盤状滑止部材８１に載って支えられることとなる。
【００３０】
それぞれの支持脚３は、断面正方形状又はほぼ正方形状の上側部８３と、長辺方向を向く長辺方向内側面８５及び短辺方向を向く短辺方向内側面８７がそれぞれ、下方に向かって外側に傾斜するように形成された下側部８９（例えば断面正方形状又はほぼ正方形状）とを一体的に有する支持脚本体を備えていて、上側部８３の上端面には、連結部材２３のボルト孔７９に対応して２つのネジ孔９１が設けられている。上側部８３の上端面の外側縁部からは、長辺方向を向く長辺方向外側面９３及び短辺方向を向く短辺方向外側面９５をそれぞれ上方に延長するように、断面Ｌ字状の薄肉のカバー部９７が上方に突出していて、面取り部３７は上側部８３の上端から下側部８９の上側部分に掛けて形成されている（図１０も参照）。
【００３１】
それぞれの支持脚３は、カバー部９７が連結部材２３の外側面に被さり、ビス孔７８及び固定ビス８０を覆うように、連結部材２３に接続され、連結部材２３のボルト孔７９を通って上側部８３の上端面のネジ孔９１に固定ボルト９８をねじ込むことにより連結部材２３に取り付けられる（図１２も参照）。なお、支持ピン２９をねじ込んで固定するネジ穴９９（支持ピン２９の雄ネジ部７１をねじ込むネジ穴）は、支持脚３では、上側部８３の面取り部３７の下端位置に形成され、連結部材２３では、面取り部２７の上側位置に形成されている（図９では支持ピン２９は支持脚３からも連結部材２３からも取り外されている）。
【００３２】
ヒーター３１は、Ｌ型金具１０１と取付ネジ１０３を用いて補強角材１３に固定され、ヒーター３１を覆う保護プレート３３は、取付ネジ１０５を用いて補強角材１３に固定されている。なお、補強角材１３の、Ｌ型金具１０１（Ｌ型金具１０１の一片部）を取り付ける箇所は、Ｌ型金具１０１（Ｌ型金具１０１の一片部）が補強角材１３表面から突出しないように若干凹んでいる。
【産業上の利用可能性】
【００３３】
本発明の家具調コタツは、暖房器具として使用してもテーブルとして使用しても優れた機能を発揮する。
【符号の説明】
【００３４】
１                                家具調コタツ
３                                支持脚
５                                天井部
７                                天板
９                                コタツ布団
１５                                収容部
１７                                天井プレート
３１                                ヒーター
【図１】
2011247431.tif 000003
【図２】
2011247431.tif 000004
【図３】
2011247431.tif 000005
【図４】
2011247431.tif 000006
【図５】
2011247431.tif 000007
【図６】
2011247431.tif 000008
【図７】
2011247431.tif 000009
【図８】
2011247431.tif 000010
【図９】
2011247431.tif 000011
【図１０】
2011247431.tif 000012
【図１１】
2011247431.tif 000013
【図１２】
2011247431.tif 000014